(57)【要約】【課題】未熟なプレーヤーでもフェース１をオープンに構えることが容易で使い勝手が良く、かつ打球にスピンを与えることが可能なゴルフクラブのアイアンヘッド１０を提供することを目的とする。【解決手段】  ヘッド１０のフェース１１に該フェース１１の前後方向に延びる第１スコアライン１３を複数本平行に形成するとともに、前記フェース１１の第１スコアライン群を形成した領域の上部領域に前記第１スコアライン１３に対して前下がりに傾斜して延びる第２スコアライン１４を複数本平行に形成し、クラブを普通に構えるときは飛球線が第１スコアラインに直交するようにアドレスし、オープンに構えるときは飛球線が第２スコアラインに直交するようにアドレスする。【選択図】図１
2007307095.tif 000002
【特許請求の範囲】
【請求項１】
ヘッドのフェースに該フェースの前後方向に延びる第１スコアラインを複数本平行に形成するとともに、前記フェースの第１スコアライン群を形成した領域の上部領域に前記第１スコアラインに対して前下がりに傾斜して延びる第２スコアラインを複数本平行に形成したことを特徴とするゴルフクラブのアイアンヘッド。
【発明の詳細な説明】
【技術分野】
【０００１】
本発明はゴルフクラブのアイアンヘッドに関し、より詳しくはアドレス時にヘッドのフェースをオープンに構えるための目安線をフェースに形成したアイアンヘッドに関する。
【背景技術】
【０００２】
この種のアイアンヘッドの一形式として、実開昭６０−１１９４５７号公報には図７に示すようにヘッドａのフェースｂに複数種類の目安線ｃ〜ｇを形成したサンドウェッジが開示されている。この目安線ｃ〜ｇはフェースｂの後端寄りの領域にフェースｂの上下方向に延びる一本の基準線ｃと、この基準線に対し線の上端側が前方へ傾倒した上前倒れの複数本の目安線ｄ〜ｇから成る。そして、各目安線ｃ〜ｇはフェースｂの前寄り位置に形成したものほど傾倒角度が次第に大きくなるように刻設されている。
【０００３】
このサンドウェッジを使う場合、目標地点とゴルフボールを結ぶ飛球線が基準線ｃまたは複数の目安線ｄ〜ｇのうちの一本に合致するようにアドレスする。そうすることにより、プレーヤーはフェースｂを選択した目安線ｃ〜ｇの傾倒角度に応じたオープン角度で構えることができる。
【特許文献１】実開昭６０−１１９４５７号公報
【発明の開示】
【発明が解決しようとする課題】
【０００４】
一般に、ゴルフクラブのアイアンヘッドには打球時、ゴルフボールにスピンを与えるためのスコアラインがヘッドのフェースに形成されている。通常、スコアラインはフェースに前後方向に延びる複数本の平行直線溝で構成されている。スコアラインの働きによってスピンを与えられた打球はグリーン上に落下したとき、落下地点近辺に停止し易い。これに対し、スピンのかかっていない打球は落下地点から走り転がって離れてしまう。
【０００５】
図７に示す従来のサンドウェッジでは、飛球方向を目安線に合わせることで、フェースｂを所望のオープン角度に構えられるように構成されている。つまり、飛球方法、換言すればスイング方向と目安線の向きが略一致することになるので、各目安線を直線溝で構成したとしても、打球にスピンを与えるスコアラインとしては機能しない。
【０００６】
本発明はかかる問題点に鑑み、未熟なプレーヤーでもフェースをオープンに構えることが容易で使い勝手が良く、かつ打球にスピンを与えることが可能なゴルフクラブのアイアンヘッドを提供することを目的とする。
【課題を解決するための手段】
【０００７】
本発明に係るゴルフクラブのアイアンヘッドは、ヘッドのフェースに該フェースの前後方向に延びる第１スコアラインを複数本平行に形成するとともに、前記フェースの第１スコアライン群を形成した領域の上部領域に前記第１スコアラインに対して前下がりに傾斜して延びる第２スコアラインを複数本平行に形成したことを特徴とする。
【発明の効果】
【０００８】
本発明に係るゴルフクラブのアイアンヘッドは、フェースに前後方向に延びる第１スコアラインと、このスコアラインに対して前下がりに傾斜した第２スコアラインを形成した。このため、クラブをフェアウェーで使用するときのように格別オープンに構える必要のない状況にあっては、アドレス時、第１スコアラインが目標地点とゴルフボールを結ぶ飛球線に直交するように構えてスイングする。スイング時、打球には第１スコアラインによってスピンが与えられる。
一方、サンドウェッジを使用するバンカーショットのようにフェースをオープンに構える必要がある場合、第２スコアラインが飛球線に直交するように構えてスイングする。このようにアドレスすると、フェースは第２スコアラインの傾斜角度に応じた所定角度でオープンに構えることができる。また、打球には第２スコアラインによってスピンが与えられる。
【発明を実施するための最良の形態】
【０００９】
本発明の一実施例としてサンドウェッジのアイアンヘッド１０を図１示す。図において、ヘッド１０のフェース１１の前端Ｆとはフェース１１の先端を意味し、フェース１１の後端Ｂとは反先端側、換言すればヘッド本体１０に一体に設けられ、シャフトに連結されるパイプ部分１２の基端部を意味する。また、フェース１１の下端Ｌとはサンドウェッジを構えたとき接地する端部を、上端Ｕとは反接地側端部を意味する。
【００１０】
当該１０ヘッドのフェース１１には複数本の互いに平行な第１スコアライン１３と、同じく複数本の互いに平行な第２スコアライン１４が形成されている。第１スコアライン１３はフェース１１の前後方向に延びている。また、第２スコアライン１４は第１スコアライン群を形成した領域の上部前寄りの領域に形成されている。そして、各第２スコアライン１４は第１スコアライン１３に対して前下がりに傾斜して延びている。
【００１１】
本実施例においては、第１スコアライン１３と第２スコアライン１４の延長線が約２５度の角度で交差するように配列されている。また、第１スコアライン１３と第２スコアライン１４はいずれも直線溝で構成されている。
【００１２】
本実施例に係るサンドウェッジのアイアンヘッド１０の構造は以上の通りであって、次ぎにその使用方法を説明する。図２及び図３にはサンドウェッジをフェアウェーで使用するときのように格別オープンに構える必要のない状況における使用方法を示す。かかる状況にあっては、アドレス時、矢印Ｍで示すように第１スコアライン１３を目視する。そして、目標地点とゴルフボールを結ぶ飛球線Ｎが第１スコアライン１３に直交するように構える。あるいは第１スコアラインの延長線Ｏがプレーヤーに向くように構えてスイングする。図４に模式的に示すように、このとき打球２０には第１スコアライン１３によって矢印Ｐで示すスピンが与えられる。
【００１３】
なお、本実施例のサンドウェッジのアイアンヘッド１０では、第１スコアライン１３を目視し、飛球線Ｎが第１スコアライン１３と直交するように構えたとき、ヘッド本体１０のソール面１５と地面Ｇとの成すバウンス角Ｂ１が約１０度となるように設計されている。
【００１４】
次ぎに、バンカーショットのようにサンドウェッジのフェース１１をオープンに構える必要がある場合の使用方法を図５及び図６に示す。このような場合は、第２スコアラインを目視し、飛球線Ｎが第２スコアライン１４に直交するように構えてスイングする。このようにアドレスすると、フェース１１は第２スコアライン１４の傾斜角度に応じた所定角度でオープンに構えることができる。本実施例のサンドウェッジのアイアンヘッド１０ではこのように構えたとき、バウンス角Ｂ２が約２０度となるように設計されている。そして、打球２０には第２スコアライン１４によってスピンが与えられる。
【００１５】
なお、本実施例では本発明をサンドウェッジに適用したアイアンヘッドについて説明したが、本発明は他の番手のゴルフクラブのアイアンヘッドに適用することもできる。
【００１６】
また、第１スコアライン１３に対する第２スコアライン１４の傾斜角度を２５度としたが、この角度を大きく設定すればクラブを構えたときのフェースのオープン角が大きくなり、傾斜角度を小さくすれば、オープン角が小さくなる。
【図面の簡単な説明】
【００１７】
【図１】本発明の実施例に係るサンドウェッジのアイアンヘッドを示す正面図である。
【図２】同サンドウェッジを普通に構えたときのアイアンヘッドを示す平面図である。
【図３】同サンドウェッジを普通に構えたときのアイアンヘッドを示す側面図である。
【図４】同サンドウェッジのスイング時におけるアイアンヘッドとゴルフボールの挙動を模式的に示す説明図である。
【図５】同サンドウェッジをオープンに構えたときのアイアンヘッドを示す平面図である。
【図６】同サンドウェッジをオープンに構えたときのアイアンヘッドを示す側面図である。
【図７】従来のサンドウェッジのアイアンヘッドを示す斜視図である。
【符号の説明】
【００１８】
１０…サンドウェッジのアイアンヘッド
１１…フェース
１２…連結パイプ
１３…第１スコアライン
１４…第２スコアライン
１５…ソール面
Ｆ…フェースの前端
Ｂ…フェースの後端
Ｌ…フェースの下端
Ｕ…フェースの上端
【図１】
2007307095.tif 000003
【図２】
2007307095.tif 000004
【図３】
2007307095.tif 000005
【図４】
2007307095.tif 000006
【図５】
2007307095.tif 000007
【図６】
2007307095.tif 000008
【図７】
2007307095.tif 000009